(57)【要約】      （修正有）【課題】羽部の重なり量にかかわらずに安定した飛行特性を得ることのできるシャトルコックを提供する。【解決手段】ベース部２と、ベース部２に円環状に配置された複数の人工羽根１０と、を備えたシャトルコックであって、人工羽根１０は、羽部１２と、羽部１２を支持する羽軸部１４とを備え、各羽部１２は、それぞれ隣接する羽部１２に向かって、隣接する羽部１２の面方向と交差する方向へ突出する突出部を有する。【選択図】図８
2014158603.tif 000002
【特許請求の範囲】
【請求項１】
ベース部と、
前記ベース部に円環状に配置された複数の人工羽根と、
を備えたシャトルコックであって、
前記人工羽根は、羽部と、前記羽部を支持する羽軸部とを備え、
各羽部は、それぞれ隣接する羽部に向かって、前記羽部の面方向と交差する方向へ突出する突出部を有する、
ことを特徴とするシャトルコック。
【請求項２】
請求項１に記載のシャトルコックであって、
各羽部は、幅方向の端部に切欠部を有する、
ことを特徴とするシャトルコック。
【請求項３】
請求項２に記載のシャトルコックであって、
前記突出部は、前記羽部の前記端部に設けられている、
ことを特徴とするシャトルコック。
【請求項４】
請求項２または請求項３に記載のシャトルコックであって、
前記突出部及び前記切欠部は、シート状の前記羽部を屈曲させることによって形成されている、
ことを特徴とするシャトルコック。
【請求項５】
請求項１〜４の何れかに記載のシャトルコックであって、
前記羽部及び前記羽軸部は一体に形成されている、
ことを特徴とするシャトルコック。
【発明の詳細な説明】
【技術分野】
【０００１】
本発明は、人工羽根を用いたシャトルコックに関する。
【背景技術】
【０００２】
バドミントン用シャトルコックには、羽根（はね）に水鳥の羽毛（天然羽毛）を用いたもの（天然シャトルコック）と、ナイロン樹脂などにより人工的に製造された人工羽根を用いたもの（人工シャトルコック）とがある。
【０００３】
周知のごとく、天然シャトルコックは、ガチョウやアヒルなどの天然羽毛を１６本程度使用し、各羽毛の羽軸の末端を、皮で覆ったコルクなどからなる半球状の台（ベース部）に植設した構造である。そして、天然シャトルコックに使用されている羽根は、比重が小さく、極めて軽量であることが特徴である。羽毛は、剛性が高く、天然シャトルコックは、独特の飛行性能と心地よい打球感が得られる。
【０００４】
これに対し、羽毛を模した人工羽根を用いた人工シャトルコックでは、羽軸部及び羽部の剛性が天然羽根と比べて低い。このことから打球時の衝撃を受けた際に隣接する羽部が交差する（羽部の積層状態が入れ替わる）ことがある。
【０００５】
そこで、例えば特許文献１では、隣接する羽部同士を接着・融着したり、紐などの部材でかがったりすることにより交差を防止するようにしている。
【先行技術文献】
【特許文献】
【０００６】
【特許文献１】特開２００９−１６０２６７号公報
【発明の概要】
【発明が解決しようとする課題】
【０００７】
上述したシャトルコックでは、交差防止の作業に手間がかかるという問題がある。  
ところで、隣接する羽部が交差するのは、羽部同士の重なり量に依存し、重なり量を小さくすることによって交差を抑制することが可能であると考えられる。しかしながら、後述するように、重なり量を小さくすると、隣接する羽部の間の隙間が大きくなり飛行距離や回転数に影響する。これにより、安定した飛行特性が得られなくなるおそれがある。
【０００８】
本発明は、かかる事情に鑑みてなされたものであり、その目的とするところは、羽部の重なり量にかかわらずに安定した飛行特性を得ることができるシャトルコックを提供することにある。
【課題を解決するための手段】
【０００９】
上記目的を達成するための主たる発明は、
ベース部と、前記ベース部に円環状に配置された複数の人工羽根と、を備えたシャトルコックであって、前記人工羽根は、羽部と、前記羽部を支持する羽軸部とを備え、各羽部は、それぞれ隣接する羽部に向かって、前記羽部の面方向と交差する方向へ突出する突出部を有することを特徴とするシャトルコックである。
【発明の効果】
【００１０】
本発明のシャトルコックによれば、羽部の重なり量にかかわらずに安定した飛行特性を得ることができる。
【００１１】
本発明の他の特徴については、本明細書及び図面の記載により明らかにする。
【図面の簡単な説明】
【００１２】
【図１】ベース部の側から見た人工シャトルコックの斜視図である。
【図２】人工羽根の側から見た人工シャトルコックの斜視図である。
【図３】比較例１における人工羽根の外観図である。
【図４】図４Ａ〜図４Ｃは、比較例１の人工羽根の説明図である。
【図５】比較例１における複数の羽部を上から見た概略図である。
【図６】比較例２の人工シャトルコックにおける羽部の配置状態を示す斜視図である。
【図７】比較例２の羽部の配置状態を上から見た概略上面図である。
【図８】本実施形態の人工シャトルコックにおける羽部の配置状態を示す上面図である。
【図９】本実施形態の人工シャトルコックにおける羽部の配置状態を示す斜視図である
【図１０】本実施形態の人工シャトルコックにおける羽部の配置状態を示す側面図である。
【図１１】本実施形態の人工シャトルコックにおける羽部の配置状態を示す側面図である。
【図１２】図１２Ａ〜図１２Ｃは、本実施形態の人工シャトルコックにおける人工羽根１０の説明図である。図１２Ａは、人工羽根をおもて側から見た平面図である。図１２Ｂは、人工羽根を裏側から見た平面図である。図１２Ｃは、図１２Ａ、図１２ＢにおけるＡ−Ａ断面図である。
【図１３】本実施形態の羽部の配置状態を上から見た概略上面図である。
【図１４】変形例１における羽部の形状を示す説明図である
【図１５】変形例２における羽部の形状を示す説明図である。
【図１６】変形例３におけるスカート部を示す説明図である。
【図１７】変形例４における羽部の説明図である。
【発明を実施するための形態】
【００１３】
＝＝＝概要＝＝＝
本明細書及び図面の記載により、少なくとも、以下の事項が明らかとなる。
【００１４】
ベース部と、前記ベース部に円環状に配置された複数の人工羽根と、を備えたシャトルコックであって、前記人工羽根は、羽部と、前記羽部を支持する羽軸部とを備え、各羽部は、それぞれ隣接する羽部に向かって、前記羽部の面方向と交差する方向へ突出する突出部を有することを特徴とするシャトルコックが明らかとなる。  
このようなシャトルコックによれば、羽部の重なり量にかかわらずに安定した飛行特性を得ることができる。また、隣接する羽部の重なり量を小さくできるので、交差の発生を防止することができる。
【００１５】
かかるシャトルコックであって、各羽部は、幅方向の端部に切欠部を有することが望ましい。  
このようなシャトルコックによれば、隣接する羽部の重なり量を簡易に小さくでき、交差の発生を防止することができる。
【００１６】
かかるシャトルコックであって、前記突出部は、前記羽部の前記端部に設けられていることが望ましい。  
このようなシャトルコックによれば、重なり量を小さくしつつ羽部の間の隙間を小さくすることができる。
【００１７】
かかるシャトルコックであって、前記突出部及び前記切欠部は、シート状の前記羽部を屈曲させることによって形成されていてもよい。
【００１８】
かかるシャトルコックであって、前記羽部及び前記羽軸部は一体に形成されていてもよい。  
このようなシャトルコックによれば、製造コストの削減を図ることができ、また、羽部間の重なり量や隙間の精度の向上を図ることができる。
【００１９】
＝＝＝実施形態＝＝＝
＜人工シャトルコックの基本構造＞
図１及び図２は、人工羽根１０を備えた人工シャトルコック１の基本構造を説明するための外観図である。図１は、ベース部２の側から見た人工シャトルコック１の斜視図である。図２は、人工羽根１０の側から見た人工シャトルコック１の斜視図である。
【００２０】
人工シャトルコック１は、ベース部２と、天然羽根を模した複数の人工羽根１０と、人工羽根１０を互いに固定するための紐状部材３とを備えている。ベース部２は、例えばコルクの台に薄い皮を覆うことによって構成されている。ベース部２の形状は、直径が２５ｍｍから２８ｍｍの半球状であり、平坦面を有する。この平坦面の円周に沿って円環状に複数の人工羽根１０の根元が埋め込まれている。複数の人工羽根１０は、ベース部２から離れるにしたがって互いの間隔が広くなるように配置される。また、図に示すように、各人工羽根１０は、それぞれ隣接する人工羽根１０と重なるように配置されている。これにより、複数の人工羽根１０によってスカート部４が形成される。複数の人工羽根１０は、紐状部材３（例えば木綿の糸）によって、互いに固定されている。
【００２１】
＜人工羽根の構造（比較例１）＞
図３は、比較例１における人工羽根１０の外観図である。また、図４Ａ〜図４Ｃは、比較例１の人工羽根１０の説明図である。図４Ａは、人工羽根１０をおもて側から見た平面図である。図４Ｂは、人工羽根１０を裏側から見た平面図である。図４Ｃは、人工羽根１０を上側から見た図である。なお、既に説明した部材については、同じ符号を付している。
【００２２】
人工羽根１０は、羽部１１２と、羽軸部１４を備えている。羽部１１２は、天然羽根の羽弁に相当する部分であり、羽軸部１４は、天然羽根の羽軸に相当する部分である。図中では、羽軸部１４に沿って上下方向が定義されており、羽部１１２のある側を上、反対側を下として定義している。また、図中では、羽軸部１４から羽部１１２の延びる方向（幅方向）に沿って左右方向が定義されている。また、図中では、人工羽根１０をベース部２に取り付けられた状態に基づいて、おもてと裏が定義されている。以下では、図中で定義された上下・左右・おもて裏に従って、各構成要素を説明することがある。
【００２３】
比較例１の羽部１１２は、天然羽根の羽弁の形状を模したシート状の部材である。羽部１１２は、例えば不織布や樹脂などによって構成することができる。不織布の場合、羽部１１２の表面には、打球時に不織布の繊維がほぐれることを防止するために強化皮膜が形成される。強化皮膜は、樹脂を塗布することによって形成することができ、例えば、ディップ法、スプレー法、ロールコート法などの種々の塗布方法が採用される。なお、強化皮膜は、羽部１１２の片面に形成しても良いし、両面に形成しても良い。また、強化皮膜は、羽部１１２の全面に形成しても良いし、一部分に形成しても良い。
【００２４】
羽軸部１４は、天然羽根の羽軸の形状を模した細長い部材であり、羽部１１２を支持する部材である。羽軸部１４は、羽部１１２の上端から下端までの領域を支持する羽支持部１４Ａと、羽部１１２から突出した羽柄部１４Ｂとを有する。羽柄部１４Ｂは、天然羽根の羽柄（うへい：なお、この部位は羽根（うこん）と称されることもある）に相当する部分である。羽柄部１４Ｂの下端は、ベース部２に埋め込まれ、ベース部２に固定されることになる。
【００２５】
図中の羽軸部１４は、断面形状が四角形状に描かれている。但し、羽軸部１４の断面形状は、菱形形状でも良いし、円形状や楕円形状であっても良い。また、羽軸部１４の断面形状は、例えば上側が円形状で下側が四角形状になるように、上下方向に異なっても良い。
【００２６】
また、図中の羽軸部１４は、下側ほど断面形状が大きくなるように形成されている。但し、上下方向に断面形状の大きさが変化せずに一定であっても良いし、断面形状の大きさが滑らかに変化しても良い。
【００２７】
なお、羽軸部１４と羽部１１２は別体であってもよいし、一体であってもよい。例えば、羽軸部１４と羽部１１２の材料として樹脂を用いる場合、金型を用いた射出成型により羽軸部１４と羽部１１２を一体に成型することができる。また、別体の場合、羽支持部１４Ａの裏側で羽部１１２が支持されていてもよいし、羽支持部１４Ａのおもて側で羽部１１２が支持されても良い。また、羽部１１２を２枚のシートで構成し、２枚の羽部１１２が羽支持部１４Ａを挟み込むように構成しても良い。また、羽支持部１４Ａの内部に羽部１１２が埋設されても良い。
【００２８】
上述したような人工羽根１０では打球時に隣接する羽部１１２の表裏関係（積層状態）が逆転する「交差」が発生するおそれがある。交差が発生すると続いて打球した際にも当初の表裏関係に復帰することが難しく、飛行軌道が不安定になるという問題がある。なお、天然羽毛では、羽弁が膜状ではなく、羽軸から生えている羽枝と呼ばれる毛体の集合であるため、交差が発生しても、羽弁の羽枝が隣接する羽弁の羽枝の間をすり抜けるため、打球を続けるうちに、容易に交差状態から当初の状態に復帰できる。
【００２９】
図５は、比較例１における複数の羽部１１２を上から見た概略図である。図に示すように、複数の羽部１１２は、それぞれ少しずつ角度を変えながら羽部同士が重なるように配置されている。なお、以下の説明において、隣接する羽部同士の重なり量をＴとする。また、隣接する羽部の間の隙間をＳとする。
【００３０】
例えば図５において、打球時に隣接する羽部１１２が一度左右方向に（重なりがなくなるまで）広がり、もとの状態に戻るときに羽部１１２の重なり状態が入れ替わってしまうことがある。このような交差が生じると安定した飛行特性が得られないというおそれがある。
【００３１】
このため、打球時に交差が発生しないような対策を施すことが望ましい。隣接する羽部１１２同士を接着・融着したり、紐などの部材でかがったりすることにより交差を防止するようにしてもよいが、その場合、交差防止の作業に手間がかかるという問題がある。
【００３２】
＜人工羽根の構造（比較例２）＞
比較例２では、羽部に切欠部を設けることにより隣接する羽部同士の重なり量Ｔを比較例１の場合よりも小さくしている。こうすることで、簡易に交差の発生を抑制することができる。例えば、図５において隣接する羽部１１２がほぼ重なっていない状態（Ｔがほぼゼロ）では、交差は発生しにくくなる。
【００３３】
図６は、比較例２の人工シャトルコック１における羽部２１２の配置状態を示す斜視図である。図７は、比較例２の羽部２１２の配置状態を上から見た概略上面図である。なお、図６、図７では、説明の便宜上、複数の羽部２１２のうちの一部のみを示している。また、羽部以外の構成は比較例１と同じであるので、説明を省略する。
【００３４】
比較例２の羽部２１２は、比較例１の羽部１１２と比べると、幅方向（左右方向）の一方側の端に切欠部２１２ａが形成されている。このように、比較例２の羽部２１２では切欠部２１２ａが設けられていることにより、各羽部２１２の幅方向の長さは、比較例１における羽部１１２の幅方向の長さよりも短くなっている。このため、隣接する羽部２１２との重なり量Ｔが比較例１（図５）の場合よりも小さくなっている。
【００３５】
このように、重なり量Ｔを小さくすることで、打球時の衝撃を受けた際においても隣接する羽部２１２の交差（重なり状態の入れ替わり）が発生しにくくなる。よって、羽部２１２の交差を防止することが可能である。しかしながら、この比較例２では、羽部２１２に切欠部２１２ａを設けることによって、隣接する羽部２１２との隙間Ｓが比較例１の場合よりも大きくなってしまう。
【００３６】
人工シャトルコック１では、各羽部の隙間Ｓにおける空気の流れ方で飛行軌道や回転をコントロールしている。この比較例２のように隣接する羽部２１２間の隙間Ｓが大きすぎると回転数が適正値よりも増えすぎてしまう。この結果、飛行軌道としては大きくカーブしてしまう。逆に、隙間Ｓが小さすぎると回転数が適正値よりも小さくなる。この結果、飛行軌道としては適正なブレーキがかからなくなる。
【００３７】
＜人工羽根の構造（本実施形態）＞
本実施形態では、羽部の重なり量Ｔを小さくした場合においても、隙間Ｓを適正に調整することで重なり量にかかわらずに安定した飛行特性を得るようにしている。
【００３８】
図８は、本実施形態の人工シャトルコック１における羽部１２の配置状態を示す上面図である。図９は、本実施形態の人工シャトルコック１における羽部１２の配置状態を示す斜視図である。図１０、及び、図１１は、本実施形態の人工シャトルコック１における羽部１２の配置状態を示す側面図である。これらの図では、説明の便宜上、複数の羽部１２のうちの一部のみを示している。
【００３９】
また、図１２Ａ〜図１２Ｃは、本実施形態の人工シャトルコック１における人工羽根１０の説明図である。図１２Ａは、人工羽根１０をおもて側から見た平面図である。図１２Ｂは、人工羽根１０を裏側から見た平面図である。図１２Ｃは、図１２Ａ、図１２ＢにおけるＡ−Ａ断面図である。なお、既に説明した部材については、同一符号を付し説明を省略する。
【００４０】
羽部１２は、比較例２の羽部２１２の切欠部２１２ａと同様の切欠部１２ａを有している。この切欠部１２ａは、隣接する羽部１２との重なりを小さくするような形状になっている。具体的には、切欠部１２ａは、羽部１２の右側端部の曲線形状（凸形状）と対応する曲線形状（凹形状）に設けられている。また、羽部１２は、おもて側の面の左端にフラップ部１２ｂ（突出部に相当）を有している。このフラップ部１２ｂは、隣接する羽部１２に向かって（より具体的には、隣接する羽部１２の面方向と交差する方向に向かって）突出している。本実施形態において、図１２Ｃの羽部１２の面とフラップ部１２ｂとのなす角度θは９０度（±数度の誤差を含む）である。
【００４１】
図１３は、本実施形態の羽部１２の配置状態を上から見た概略上面図である。  
前述したように、本実施形態の羽部１２には切欠部１２ａとフラップ部１２ｂが設けられている。切欠部１２ａが設けられていることにより、各羽部１２の幅方向（左右方向）の長さが短くなっており、比較例１（図５）よりも重なり量Ｔが小さくなっている。これにより、隣接する羽部２１２の間で交差が発生するのを抑制することができる。また、フラップ部１２ｂが設けられているので、比較例２（図７）の場合よりも隣接する羽部１２との隙間Ｓが適正に調整されている。これにより飛行距離や回転を改善することができ、安定した飛行特性を得ることができる。
【００４２】
なお、本実施形態の羽部１２には熱可塑性樹脂が用いられている。また、羽軸部１４も熱可塑樹脂が用いられている。そして、羽部１２を含めて人工羽根１０の構成要素は、不図示の金型を用いて二色成型やインサート成型などの周知の射出成型技術を用いて一体に製造（成型）される。こうすることにより、製造コストの削減を図ることができ、また、重なり量Ｔや隙間Ｓの精度の向上を図ることができる。
【００４３】
以上、説明したように、本実施形態の人工シャトルコック１は、ベース部２と、ベース部２に円環状に配置された複数の人工羽根１０とを備えており、人工羽根１０は、羽部１２と、羽部１２を支持する羽軸部１４とを備えている。そして、各羽部１２は、切欠部１２ａを有しており、切欠部１２ａ側の端部に隣接する羽部１２に向かって突出するフラップ部１２ｂを有している。
【００４４】
このようにフラップ部１２ｂを設けることにより、隣接する羽部１２との間の隙間Ｓを適正に調整することができる。よって、重なり量Ｔを小さくした場合においても安定した飛行特性（飛行距離や回転など）を得ることが出来る。
【００４５】
なお、本実施形態では、切欠部１２ａは羽部１２の幅方向の一端に設けられていたが、これには限られない。例えば、幅方向の両端に隣接する羽部の重なり量を小さくするような切欠部がそれぞれ設けられていてもよい。ただし、本実施形態のように片側に切欠部を設けると簡易に重なり量Ｔを小さくすることができる。また、切欠部１２ａは必ずしも設けていなくてもよい。例えば、隣接する羽部１２がぎりぎり重なる程度まで羽部１２の幅を小さく（細く）して、その幅方向の端にフラップ部１２ｂを設けるようにしてもよい。
【００４６】
また、本実施形態ではフラップ部１２ｂは羽部１２のおもて側に設けられていたがこれには限られない。例えば、羽部１２の裏側（具体的には切欠部１２ａの形成されていない側の端部の裏側）に設けられていても良い。また、本実施形態ではフラップ部１２ｂは羽部１２の端部に沿うように設けられていたがこれには限られない。例えば、端部に平行でやや羽軸部１４寄りに配置されていても良い。あるいは、端部に沿わずに（曲線的ではなく）直線的に配置されていても良い。
【００４７】
また、本実施形態では、切欠部１２ａは羽部１２において凹形状に形成されていたがこれには限られない。例えば、直線形状であってもよい。なお、羽部１２においてフラップ部１２ｂが設けられてない側の端部は凸形状であるので、凹形状の方が重なり量Ｔをより小さくすることができる。
【００４８】
＝＝＝変形例＝＝＝
＜変形例１＞
図１４は、変形例１における羽部１２の形状を示す説明図である。
【００４９】
変形例１では、切欠部１２ａが羽部１２のうちの上方部分のみに形成されている。このため、隣接する羽部１２との重なり量Ｔ（図の斜線で示す部分）が上下方向における各位置で一定になっていない。この例の場合、羽部１２の上下方向の中央付近で重なり量Ｔが大きくなっている。このように、隣接する羽部１２同士の重なり量Ｔが上下方向で一定になっていなくてもよい。なお、図１４のような構成には限られず、例えば、図１４とは逆の位置（すなわち羽部１２のうちの下方部分）に切欠部１２ａが形成されていてもよい。
【００５０】
また、この変形例１の場合においても、羽部１２において切欠部１２ａ側の端部に沿ってフラップ部１２ｂを設けるようにすればよい。こうすることにより、隙間Ｓを適正に調整することができ、安定した飛行特性を得ることが出来る。
【００５１】
＜変形例２＞
図１５は、変形例２における羽部１２の形状を示す説明図である。  
図からわかるように、変形例２の羽部１２は、上方側と下方側でフラップ部１２ｂの突出量（突出長さ）が異なっている。これにより、隣接する羽部１２間における隙間Ｓが上下方向の各位置で一定になっていない。具体的には、図から分けるように、下端に近づくにつれて隙間Ｓが大きくなり、上部に近づくにつれて隙間Ｓが小さくなっている。このように、上下方向の各位置で隙間Ｓの長さが異なっていても良い。
【００５２】
なお、隙間Ｓが羽部の位置によって異なる構成はこの例には限られない。例えば、逆の場合でもよい（すなわち、下端に近づくにつれて隙間Ｓが小さくなり、上端に近づくにつれて隙間Ｓが大きくなっていてもよい）。
【００５３】
＜変形例３＞
図１６は、変形例３におけるスカート部４を示す説明図である。変形例３では、スカート部４（人工羽根１０（羽部１２、羽軸部１４）及び紐状部材３）を一体に形成する金型を用いて、図１６に示すようにスカート部４を射出成型により一体成形している。
【００５４】
なお、この金型には、それぞれの羽軸部１４の軸の位置、各羽部の角度の決まった金型が用いられる。
【００５５】
このように、スカート部４の各部を射出成型にて一体に形成することによって、製造コストをより削減することができ、また、重なり量Ｔや隙間Ｓの精度をより向上させることができる。
【００５６】
＜変形例４＞
変形例４では、シート状（平面状）の羽部１２を折り返す（屈曲させる）ことにより、切欠部１２ａとフラップ部１２ｂをそれぞれ形成している。
【００５７】
図１７は、変形例４における羽部１２の説明図である。この図１７において左側の図は、折り返し前の状態を示す図であり、右側の図は折り返した後の状態を示す図である。
【００５８】
この変形例４では、左側のシート状の羽部１２の点線部分に沿って谷折に折り返すことにより右側の図のようなフラップ部１２ｂ及び切欠部１２ａを形成している。
【００５９】
このように、平面状の羽部１２を折り返すことによって切欠部１２ａとフラップ部１２ｂを形成してもよい。なお、この変形例４のようにフラップ部１２ｂを形成する場合、図１２Ｃの角度θは鋭角にすることが望ましい。
【００６０】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００６１】
１  人工シャトルコック、
２  ベース部、
３  紐状部材、
４  スカート部、
１０  人工羽根、
１２  羽部、
１２ａ  切欠部、
１２ｂ  フラップ部、
１４  羽軸部、
１４Ａ  羽支持部、
１４Ｂ  羽柄部
【図１】
2014158603.tif 000003
【図２】
2014158603.tif 000004
【図３】
2014158603.tif 000005
【図４】
2014158603.tif 000006
【図５】
2014158603.tif 000007
【図６】
2014158603.tif 000008
【図７】
2014158603.tif 000009
【図８】
2014158603.tif 000010
【図９】
2014158603.tif 000011
【図１０】
2014158603.tif 000012
【図１１】
2014158603.tif 000013
【図１２】
2014158603.tif 000014
【図１３】
2014158603.tif 000015
【図１４】
2014158603.tif 000016
【図１５】
2014158603.tif 000017
【図１６】
2014158603.tif 000018
【図１７】
2014158603.tif 000019